(57)【要約】【課題】発光特性を損なうことなく、より簡単な構成でランプを保持することが可能な照明器具を提供する。【解決手段】発光管２の両端部にそれぞれ設けられた口金３，３および両口金３，３の間を連結し発光管２における主発光面側と反対の一平面側に沿って設けられる連結部５を具備した平面らせん形ランプ（ランプ）１の両口金３，３がそれぞれ装着される一対のランプソケット７，７と、該各ランプソケット７，７が配設された器具本体１１とを備えた照明器具１０であって、連結部５を保持する保持部６，６が器具本体１１に設けられている。【選択図】図１
2011049006.tif 000002
【特許請求の範囲】
【請求項１】
発光管の両端部にそれぞれ設けられた口金および両口金の間を連結し前記発光管における主発光面側と反対の一平面側に沿って設けられる連結部を具備したランプの前記両口金がそれぞれ装着される一対のランプソケットと、該各ランプソケットが配設された器具本体とを備えた照明器具であって、
前記連結部を保持する保持部が前記器具本体に設けられたことを特徴とする照明器具。
【請求項２】
前記ランプソケットは、同一平面において前記発光管の長さ方向の中間部を中心に該中間部から同一方向の渦巻状に旋回する二重渦巻き形状の前記発光管を具備した前記ランプにおける前記口金が装着されることを特徴とする請求項１に記載の照明器具。
【請求項３】
前記保持部は、前記発光管の前記一平面側と、前記発光管における前記一平面側に沿って設けられる前記連結部の板状部との隙間で前記連結部の前記板状部を保持することを特徴とする請求項１または請求項２に記載の照明器具。
【請求項４】
前記保持部は、前記渦巻状に旋回する二重渦巻き形状の隣接する前記発光管の管壁同士の間に設けられ、且つ前記発光管における前記一平面側に沿って設けられる前記連結部の板状部を保持することを特徴とする請求項２に記載の照明器具。
【請求項５】
前記保持部は、前記連結部の前記板状部を係止する爪部を備えてなることを特徴とする請求項３または請求項４に記載の照明器具。
【発明の詳細な説明】
【技術分野】
【０００１】
本発明は、照明器具に関するものである。
【背景技術】
【０００２】
従来から、発光管を環状にした環形ランプを光源とし、該環形ランプを発光管の管の外形より若干小さい湾曲した金属片の弾性力で挟み込んで保持するランプホルダを器具本体に備えた照明器具が知られている（たとえば、特許文献１を参照。）。
【０００３】
この種の照明器具として、図６の概略断面図には、たとえば、天井材などの造営材（図示せず）に取り付けられた状態での照明器具１０’を示している。照明器具１０’は、複数個のランプホルダ１８，１８が照明器具１０’の器具本体１１の一表面１１ｂ側から突出して設けられている。ランプホルダ１８，１８は、先端部が環形ランプ１９の発光管２’に沿って湾曲できるように構成されており、環形ランプ１９を保持し吊り下げている。ランプホルダ１８，１８は、環状の発光管２’における環状の内側および主発光面側（図６中の下側）を保持することになる。
【０００４】
光源となる環形ランプ１９は、主として、環状のガラス管からなる発光管２’と、発光管２’の環状の一部を覆う円筒状の口金１７とから構成されている。なお、上述の環形ランプ１９は、発光管２’の内部に蛍光体膜（図示しない）が塗布された環形蛍光ランプである。
【０００５】
また、照明器具１０’は、器具本体１１の一表面１１ｂ側であって環形ランプ１９の環状の内側に点灯回路部１２を配置し、該点灯回路部１２から給電コード１２ａを介して環形ランプ１９に高周波電力を給電している。照明器具１０’の主発光面側には、環形ランプ１９を覆うようにランプカバー１４が設けられている。なお、照明器具１０’は、環形ランプ１９の発光効率の向上を図るために、環形ランプ１９における環形ランプ１９の口金１７や口金１７近傍の発光管２’の最冷点部の温度を一定温度（約４０℃）に保持するための放熱体２１を設けている。
【０００６】
なお、図６の照明器具１０’は、たとえば、３個のランプホルダ１８，１８，１８を環形ランプ１９の環状の発光管２’に沿って等間隔（環状の周方向により形成される仮想円の中心と、各ランプホルダ１８，１８，１８の中心とを結ぶ仮想線分のうち、隣接する仮想線分のなす角がそれぞれ約１２０°）に配置させることができる。また、上述の照明器具１０’は、主発光面側を見た図７の参考例に示すように、たとえば、３個のランプホルダ１８，１８，１８’を環形ランプ１９の環状の発光管２’に沿って配置させ、１つのランプホルダ１８’が、環形ランプ１９の口金１７と接続されるランプソケットと兼用した構造にすることも考えられる。照明器具１０’は、点灯回路部１２から給電コード１２ａを介して環形ランプ１９に高周波電力を給電することで、環形ランプ１９を点灯することができる。
【０００７】
ところで、近年、照明器具の光源たるランプとして上述の環形ランプ１９に代え、たとえば、図８に示す略同一平面において発光管２の長さ方向の中間部２ａを中心に、該中間部２ａから同一方向の渦巻状に旋回する二重渦巻き形状に形成された発光管２を用いた平面らせん形ランプ１が開発されている。平面らせん形ランプ１は、渦巻状に旋回する発光管２の長さ方向の両端部の先端側に、ランプピン４，４が突設された一対の口金３，３がそれぞれ設けられている。なお、ランプピン４，４は、それぞれ１本づつしか図示していないが、主発光面（図８の紙面と平行な面）と垂直方向に２本設けられている。
【０００８】
一対の口金３，３は、渦巻状に旋回する発光管２の中間部２ａを中心に点対称に配置されている。平面らせん形ランプ１は、照明器具への装着時や輸送時に平面らせん形ランプ１の発光管２に破損などが生ずることを抑制するため、樹脂等により構成された連結部５により当該平面らせん形ランプ１の一対の口金３，３を一体的に連結されている。
【０００９】
このような平面らせん形ランプ１は、上述の環形ランプ１９と比較して、面状に均一な光を放出することができる。すなわち、環形ランプ１９は、環形ランプ１９の発光管２’に沿って環状に明るくなるが、環状の内側は、光の中落ち、と呼ばれる暗がりができてしまう。これに対し、平面らせん形ランプ１は、発光管２の形状が、二重渦巻き形状のため、上述の光の中落ちがない均一な面状発光を得ることが可能な平面発光体となる。
【００１０】
また、発光管２は、通常、発光管２の長さが長いほど、ランプ効率（消費電力１Ｗあたりで得られる全光束）が高くなる傾向にある。平面らせん形ランプ１は、たとえば、日本工業規格におけるランプの大きさ区分が同じになる２０形の環形ランプ１９と比較して、発光管２の長さを長くすることができるため、発光効率を向上させることができる。同様に、２０形の平面らせん形ランプ１は、２０形の環形ランプ１９と比較して、外形を小型に、厚みも薄型化にすることができる。
【００１１】
この種の平面らせん形ランプ１を光源として用いる照明器具の例を、図９に示す。図９の参考例に示す照明器具１０は、照明器具１０の器具本体１１と、平面らせん形ランプ１の口金３，３が接続される一対のランプソケット７，７とを備えている。ここで、照明器具１０に光源となる平面らせん形ランプ１を保持させるには、上述の環形ランプ１９が保持される照明器具１０’と同様のランプホルダ１８，１８，１８を器具本体１１に配置させることが考えられる。
【００１２】
より具体的には、照明器具１０は、主発光面側を見て、平面らせん形ランプ１の最も外周の発光管２を３個のランプホルダ１８，１８，１８で保持させている（図９（ａ）を参照）。平面らせん形ランプ１は、平面らせん形ランプ１の発光管２の外周側および主発光面側（図９（ｂ）の下側）がランプホルダ１８，１８，１８で保持される。なお、図８と同様の構成要素については同一の符号を用いている。
【００１３】
しかしながら、環形ランプ１９の発光管２’を保持するランプホルダ１８を単に、平面らせん形ランプ１を備えた照明器具１０に適用すると、照明器具１０に用いられる平面らせん形ランプ１では、同一平面に沿って渦巻き状に旋回された発光管２に過大な力がかかりやすい傾向にある。
【００１４】
特に、平面らせん形ランプ１は、上述のように同じ２０形の環形ランプ１９と比較して、薄型化などできるものの平面らせん形ランプ１の発光管２の管径も小さく、且つ発光管２の長さも長い。また、平面らせん形ランプ１は、環形ランプ１９のごとく、環状に閉じたループ形状でもなく発光管２の連結部５の近傍など一部分に力がかかりやすいため、平面らせん形ランプ１の発光管２に過大な力が作用するのは好ましくない。
【００１５】
さらに、平面らせん形ランプ１は、光の中落ちがない均一な平面発光体であるだけに、ランプホルダ１８，１８，１８自身が平面らせん形ランプ１からの光の一部を遮ると、一部の光の欠落が特に目立ってしまい均一な発光特性を損なう恐れもある。
【００１６】
また、平面らせん形ランプ１を光源として用いた別の照明器具１０の一例を図１０に示す。図１０に示す照明器具１０は、器具本体１１に、平面らせん形ランプ１の口金３，３と接続される一対のランプソケット７，７と、平面らせん形ランプ１の各口金３，３における外周部が保持されるランプホルダ２２，２２とを有するものが知られている（たとえば、特許文献２を参照。）。なお、図９と同様の構成要素については同一の符号を付している。
【００１７】
また、図１０に示した照明器具１０には、主発光面側から見て、平面らせん形ランプ１の連結部５を介して、ランプソケット７，７と対向する位置に、平面らせん形ランプ１の連結部５と当接して、平面らせん形ランプ１のランプピン４，４の突出方向においてランプソケット７，７から離れる方向に平面らせん形ランプ１の移動を規制する略矩形板状の規制立片２３，２３が設けられている（図１０（ａ）を参照）。
【００１８】
図１０の照明器具１０は、ランプホルダ２２，２２が、平面らせん形ランプ１の発光管２を覆うことなく口金３，３を保持することで、平面らせん形ランプ１からの光がランプホルダ２２，２２により遮られることを防止することができる。
【先行技術文献】
【特許文献】
【００１９】
【特許文献１】特開２００２−２５３３１号公報
【特許文献２】特開２００８−２４３６２６号公報
【発明の概要】
【発明が解決しようとする課題】
【００２０】
しかしながら、図１０に示す照明器具１０では、器具本体１１に平面らせん形ランプ１の一対の口金３，３を保持するためのランプホルダ２２，２２を取り付けるため、平面らせん形ランプ１の外周部にある一対の口金３，３それぞれの更に外側にランプホルダ２２，２２を取り付けなければならず、照明器具１０の大型化を引き起こす恐れがある。
【００２１】
また、照明器具１０は、単に一対のランプホルダ２２，２２を備えるだけでは、振動などにより平面らせん形ランプ１のランプピン４，４がランプソケット７，７から外れる方向に移動し、ランプピン４，４が露出する恐れがある。
【００２２】
そのため、図１０の照明器具１０は、平面らせん形ランプ１が振動などによりランプソケット７，７から外れることを防止するために、ランプホルダ２２，２２とは別途にランプピン４，４の突出方向においてランプソケット７，７から離れる方向に平面らせん形ランプ１が移動するのを規制する規制立片２３，２３を一対設けており、照明器具１０の構成が複雑化する傾向にある。
【００２３】
本発明は上記事由に鑑みてなされたものであり、その目的は、発光特性を損なうことなく、より簡単な構成でランプを保持することが可能な照明器具を提供することにある。
【課題を解決するための手段】
【００２４】
請求項１の発明は、発光管の両端部にそれぞれ設けられた口金および両口金の間を連結し前記発光管における主発光面側と反対の一平面側に沿って設けられる連結部を具備したランプの前記両口金がそれぞれ装着される一対のランプソケットと、該各ランプソケットが配設された器具本体とを備えた照明器具であって、前記連結部を保持する保持部が前記器具本体に設けられたことを特徴とする。
【００２５】
この発明によれば、発光管の両端部にそれぞれ設けられた口金および両口金の間を連結し前記発光管における主発光面側と反対の一平面側に沿って設けられる連結部を具備したランプの連結部を利用して、照明器具が前記ランプを保持する保持部を設けることにより、前記ランプの発光特性を損なうことなく、より簡単な構成で前記ランプを保持することが可能な照明器具とすることができる。
【００２６】
すなわち、前記発光管の両端部に設けられた両口金の間同士を結び照明器具への装着時や輸送時にランプの破損を防止などする前記ランプの連結部は、通常、樹脂等により構成された非発光体であり、照明器具に組み込まれた場合には、前記発光管に対して主発光面側と反対の一平面側（器具本体側）に位置する。照明器具の前記保持部が前記ランプの前記連結部を保持固定することで、前記発光管の主発光面側などを覆うこともない。そのため、前記保持部が光源となる前記ランプの影となることもなく、しかも、前記ランプが振動などに起因して前記ランプソケットから外れるような移動を規制することもできる。
【００２７】
請求項２の発明は、請求項１に記載の発明において、前記ランプソケットは、同一平面において前記発光管の長さ方向の中間部を中心に該中間部から同一方向の渦巻状に旋回する二重渦巻き形状の前記発光管を具備した前記ランプにおける前記口金が装着されることを特徴とする。
【００２８】
この発明によれば、照明器具の光源として、環形ランプと比較して、前記発光管の外径が小さく前記発光管の厚みも薄型化することが可能な二重渦巻き形状の前記発光管を具備した前記ランプを用いた場合においても、前記発光管に余分な力をかけることなく前記ランプを装着が可能な照明器具とすることができる。
【００２９】
また、照明器具の前記保持部が二重渦巻き形状の前記発光管のより中間部側にある前記連結部を利用して、前記ランプを保持することができるため照明器具の前記保持部の取り付け領域を前記ランプの前記発光管のより外周部に設ける必要もない。そのため、照明器具の大型化を抑制し、たとえば、円盤形状の器具本体を用いた場合における器具本体の最小径を前記ランプの外形と略同一程度とすることができる。また、照明器具の前記保持部が前記ランプからの光を遮ることなく、面状発光を得ることもできる。
【００３０】
請求項３の発明は、請求項１または請求項２に記載の発明において、前記保持部は、前記発光管の前記一平面側と、前記発光管における前記一平面側に沿って設けられる前記連結部の板状部との隙間で前記連結部の前記板状部を保持することを特徴とする。
【００３１】
この発明によれば、前記保持部が前記連結部の前記板状部の全体を利用して前記ランプを保持することが可能となるので、前記器具本体における前記保持部の設置自由度を高めることができる。また、前記保持部は、たとえば、前記ランプにおける長尺状の前記板状部を前記器具本体の一表面側に対して平行な面内で回転させて、前記発光管の前記一平面側と、前記発光管における前記一平面側に沿って設けられる前記連結部の板状部との隙間に保持する回転取付構造とすることが可能となる。これにより、前記保持部は、照明器具に、照明器具から前記ランプの落下防止および前記ランプが前記ランプソケットから外れる方向に回転する逆回転を防止する機能などを付与することができる。
【００３２】
請求項４の発明は、請求項２に記載の発明において、前記保持部は、前記渦巻状に旋回する二重渦巻き形状の隣接する前記発光管の管壁同士の間に設けられ、且つ前記発光管における前記一平面側に沿って設けられる前記連結部の板状部を保持することを特徴とする。
【００３３】
この発明によれば、前記保持部が前記発光管の管壁同士の間に設けられることで、前記発光管と前記器具本体との間隙の寸法を小さくし、照明器具全体の厚みを薄くすることが可能となる。また、前記保持部は、前記ランプを照明器具への移動で固定することも可能となる。
【００３４】
請求項５の発明は、請求項３または請求項４に記載の発明において、前記保持部は、前記連結部の前記板状部を係止する爪部を備えてなることを特徴とする。
【００３５】
この発明によれば、前記保持部に備えられた爪部により、前記板状部を係止することで、たとえば、前記ランプを照明器具にワンタッチで取り付けできる。また、前記保持部の前記爪部は、振動などで前記ランプが前記ランプソケットから外れる方向に力がかかっても、前記ランプのランプピンが前記ランプソケットから露出することを防止することもできる。
【発明の効果】
【００３６】
請求項１の発明は、発光管の両端部にそれぞれ設けられた口金および両口金の間を連結し前記発光管における主発光面側と反対の一平面側に沿って設けられる連結部を具備したランプの前記両口金がそれぞれ装着される一対のランプソケットが器具本体に配設された照明器具に、前記連結部を保持する保持部を設けたことで、発光特性を損なうことなく、より簡単な構成で前記ランプを保持することが可能な照明器具とすることができるという顕著な効果がある。
【図面の簡単な説明】
【００３７】
【図１】実施形態１の照明器具を示し、（ａ）は概略正面図、（ｂ）は（ａ）のＢ−Ｂ’概略断面図、（ｃ）は他の概略断面図である。
【図２】同上の照明器具における保持部の構成を説明する説明図である。
【図３】同上の照明器具における他の保持部の構成を説明する説明図である。
【図４】実施形態２の照明器具を示し、（ａ）は概略正面図、（ｂ）は（ａ）のＢ−Ｂ’概略断面図、（ｃ）は他の概略断面図である。
【図５】同上の照明器具における保持部の構成を説明する説明図である。
【図６】従来の環形ランプを備えた照明器具の概略断面図である。
【図７】環形ランプを備えた参考となる照明器具の概略正面図である。
【図８】同一平面に沿って渦巻き状に旋回された発光管を有する平面らせん形ランプの概略正面図である。
【図９】平面らせん形ランプを備えた参考のための照明器具を示し、（ａ）は概略正面図、（ｂ）は概略断面図である。
【図１０】平面らせん形ランプを備えた従来の照明器具を示し、（ａ）は概略正面図、（ｂ）は概略断面図である。
【発明を実施するための形態】
【００３８】
以下、本願の発明を各実施形態に基づいて説明するが、いずれも例示的に説明するものであって、本願の発明は、各実施形態に特有な事項に基づいて限定解釈されるものだけに限らない。
【００３９】
（実施形態１）
以下、本実施形態の照明器具について、図１を用いて説明し、照明器具の保持部の例を図２および図３に基づいて詳述する。
【００４０】
本実施形態の図１に示す照明器具１０は、たとえば、造営材たる天井材１５に取り付けられ室内を照明するために用いられる。照明器具１０は、主発光面側が略円形の器具本体１１に一対のランプソケット７，７を対向配置して備えている（図１（ａ）を参照）。なお、ランプソケット７，７は、平面らせん形ランプ１の口金３，３におけるランプピン４，４を差し込んで固定するプランジャ式の構造としている。
【００４１】
ここで、本実施形態の照明器具１０の光源として用いられる平面らせん形ランプ１は、図８と同様、略一平面において、管の長さ方向の中間部２ａから渦巻状に旋回する二重渦巻き形状の発光管２と、発光管２の両端部の先端側に２本の平行なランプピン４，４が突設される一対の口金３，３がそれぞれ設けられている。一対の口金３，３は、発光管２の中間部２ａを中心として点対称となる位置に配置している。
【００４２】
ランプピン４，４は、一方の口金３に設けたランプピン４，４の突出方向と、他方の口金３に設けたランプピン４，４の突出方向が逆方向となっている。発光管２の中間部２ａは、他の部位よりも太く形成してあり、発光管２の中間部２ａの一部が主発光面側（図１（ｂ），（ｃ）の下側）に突出している。なお、上述の平面らせん形ランプ１は、発光管２の内部に蛍光体膜（図示しない）が塗布された平面らせん形蛍光ランプである。
【００４３】
また、平面らせん形ランプ１は、平面らせん形ランプ１の発光管２の一対の口金３，３の配置を固定して発光管２の強度を高める連結部５を備えている。連結部５は、一対の口金３，３に近接して発光管２の管の外形をそれぞれ覆う筒状部５ａ，５ａと、筒状部５ａ，５ａ間を平面らせん形ランプ１の主発光面と反対の前記一平面側に沿って設けられ筒状部５ａ，５ａと一体に連結された樹脂からなる板状部５ｂとを有する。連結部５は、平面らせん形ランプ１の発光管２の製造状態によらず両口金３，３間のピッチを定めることもできる。
【００４４】
平面らせん形ランプ１は、連結部５の板状部５ｂが器具本体１１側に配置され、全体として平面状に発光する平面発光体として機能する。なお、平面らせん形ランプ１は、各口金３，３と、その内側の発光管２との間に発光管２の強度を高める充填材（図示せず）を充填していてもよい。
【００４５】
次に、照明器具１０について説明する。照明器具１０は、器具本体１１が金属製であって、略平板状の円盤に形成されている。図１（ｂ）は、図１（ａ）のＢ−Ｂ’概略断面図を示す。図１（ｂ）の概略断面図に示す照明器具１０は、器具本体１１の略中央部に貫通穴１１ａが貫設されており、貫通孔１１ａを避けて平面らせん形ランプ１を点灯させる点灯回路部１２が内蔵されている。また、照明器具１０の器具本体１１の貫通孔１１ａには、照明器具１０の点灯回路部１２へ給電を行うとともに器具本体１１を機械的に結合するアダプタ１３が天井材１５側から挿入されて取り付け固定されることになる。照明器具１０における器具本体１１の一表面１１ｂ側には、平面らせん形ランプ１の光を効率よく反射させる反射板１６を備えている。また、照明器具１０の主発光面側には、光源たる平面らせん形ランプ１を覆うように透光性材料からなるランプカバー１４が設けられている。
【００４６】
ここで、本実施形態の照明器具１０は、照明器具１０の器具本体１１における一表面１１ｂにおいて、平面らせん形ランプ１を保持する複数個（ここでは、２個）の保持部６，６を備えている。照明器具１０の保持部６，６は、主発光面側から見て平面らせん形ランプ１の中間部２ａと、二重渦巻き形状の最外周部との間に、中間部２ａに対して点対称で２個配置させおり、保持部６，６が矢印Ａ（図１（ａ）を参照）の方向に平面らせん形ランプ１の回転力を受けることができる。
【００４７】
保持部６，６は、たとえば、弾性を有するステンレスなどの金属材料からなる板材を折曲加工により形成させたものであり、一端部が器具本体１１の一表面１１ｂ側にビス（図示せず）を用いて固定され、一表面１１ｂから立設した立設部６ｂ，６ｂを備えている。各保持部６，６は、保持部６，６の固定されていない他端部側が、立設部６ｂ，６ｂと略垂直方向に突出した突出部６ａ，６ａを備えている。保持部６，６の突出部６ａ，６ａは、平面らせん形ランプ１の発光管２の前記一平面側と、該発光管２の前記一平面側に沿って設けられる連結部５の板状部５ｂとの隙間２ｂに通され、平面らせん形ランプ１を照明器具１０に保持している。
【００４８】
各保持部６，６の突出部６ａ，６ａには、それぞれ複数個（ここでは、２個）の爪部６ｃ，６ｄを設けている。突出部６ａの爪部６ｃは、突出部６ａの先端部に設けられ、平面らせん形ランプ１が振動などで突出部６ａ，６ａから外れないように係止する機能を備えている（図１（ｃ）を参照）。また、突出部６ａの爪部６ｄは、爪部６ｃよりも立設部６ｂ側に設けられ、平面らせん形ランプ１のランプピン４，４がランプソケット７，７から抜けないように連結部５を係止する。
【００４９】
光源となる平面らせん形ランプ１を照明器具１０に取り付けるためには、保持部６，６の突出部６ａ，６ａを、平面らせん形ランプ１の発光管２の前記一平面側と、該発光管２の前記一平面側に沿って設けられる連結部５の板状部５ｂとの隙間２ｂに通す。次に、平面らせん形ランプ１の板状部５ｂが一対の保持部６，６の突出部６ａ，６ａで吊り下げ保持できるように、照明器具１０に対して矢印Ａ方向（図１（ａ）を参照）に回転させる。連結部５の板状部５ｂは、保持部６の爪部６ｃおよび爪部６ｄを越えて、平面らせん形ランプ１の口金３，３から突出したランプピン４，４がランプソケット７，７に挿入されるまで回転させる。これにより、光源となる平面らせん形ランプ１が、一対の保持部６，６によって、照明器具１０に保持固定されることになる。
【００５０】
以下、本実施形態の照明器具１０に用いられる保持部６の詳細について、図２および図３を用いて説明する。
【００５１】
照明器具１０の器具本体１１の一表面１１ｂ側に設けられた図２（ａ）に示す一対の保持部６，６は、器具本体１１の一表面１１ｂから立設した立設部６ｂ，６ｂと、立設部６ｂ，６ｂの先端から突出した突出部６ａ，６ａとを備えている。保持部６，６は、平面らせん形ランプ１を照明器具１０に対して矢印Ａの方向（図１（ａ）を参照）に回転させることにより、平面らせん形ランプ１の板状部５ｂが一対の保持部６，６に保持され取り付けることができるように、保持部６，６の突出部６ａ，６ａを互いに対向するように配置させている。
【００５２】
照明器具１０の保持部６，６は、振動などで平面らせん形ランプ１の板状部５ｂが保持部６，６の突出部６ａ，６ａの先端から外れないように、照明器具１０の器具本体１１に設けられた保持部６，６の突出部６ａ，６ａの先端と、器具本体１１の一表面１１ｂとの距離ｄを、平面らせん形ランプ１の板状部５ｂの厚みｔよりも小さくさせて、板状部５ｂを挟み込んでいる。
【００５３】
各保持部６の突出部６ａおよび立設部６ｂは、たとえば、ステンレスなどの金属で形成されて弾性を備えており、突出部６ａと照明器具１０の器具本体１１の一表面１１ｂとの間（距離ｄ）を広げて、突出部６ａと照明器具１０の器具本体１１の一表面１１ｂとの間に連結部５の板状部５ｂを挿入する。連結部５の板状部５ｂが挿入された後は、突出部６ａと照明器具１０の器具本体１１の一表面１１ｂとの間（距離ｄ）が再び狭まり、板状部５ｂが保持部６に保持される。
【００５４】
また、本実施形態の照明器具１０に用いられる他の保持部６，６として、保持部６，６は、図２（ｂ）に示すように複数個（ここでは、２個）の保持部６，６の突出部６ａ，６ａを同一方向に配置させてもよい。この場合、平面らせん形ランプ１を照明器具１０の器具本体１１の一表面１１ｂと略平行に一方向にスライドさせることにより、保持部６，６は、平面らせん形ランプ１の連結部５における板状部５ｂを一対の保持部６，６の突出部６ａ，６ａで保持することができる。
【００５５】
次に、図３に示す本実施形態の他の保持部６，６は、たとえば、絶縁性の樹脂材料からなる合成樹脂成形品で形成させている。保持部６，６は、一端部を照明器具１０の器具本体１１の一表面１１ｂ側に埋め込み固定している。保持部６，６は、固定されていない他端部側の突出部６ａ，６ａを平面らせん形ランプ１の発光管２の前記一平面側と、発光管２における前記一平面に沿って設けられる連結部５の板状部５ｂとの隙間２ｂ（図１（ｂ）を参照）に通して、平面らせん形ランプ１を保持している。各保持部６，６の突出部６ａ，６ａには、平面らせん形ランプ１の連結部５を引っ掛ける爪部６ｃ，６ｃ，６ｄ，６ｄを設けている。すなわち、保持部６，６の爪部６ｃ，６ｃ，６ｄ，６ｄは、平面らせん形ランプ１の連結部５が前記ランプの前記ランプソケットへの取り付け方向には進みやすく、前記ランプが前記ランプソケットから外れる取り外し方向には進み難く逆回転を防止する構造としている。
【００５６】
保持部６の突出部６ａの先端において、器具本体１１の一表面１１ｂ側に向けられた突起となる一段目の爪部６ｃ，６ｃは、たとえば、平面らせん形ランプ１を照明器具１０の設置する際に、照明器具１０からの落下防止用などとして機能する。また、保持部６の突出部６ａの先端よりも立設部６ｂ側であって、器具本体１１の一表面１１ｂ側に向けられた二段目の爪部６ｄ，６ｄは、平面らせん形ランプ１の口金３，３とランプソケット７，７との位置合わせ用として機能し、平面らせん形ランプ１を照明器具１０に係止することができる。
【００５７】
ここでは、照明器具１０の器具本体１１の一表面１１ｂ側に設けられた一対の保持部６，６は、平面らせん形ランプ１を照明器具１０の一表面１１ｂ側に対して平行な面内で回転させ、平面らせん形ランプ１の連結部５が一対の保持部６，６に保持して取り付けることができるように、図３（ａ）に示す保持部６，６の突出部６ａ，６ａが互いに対向するように配置させてもよい。また、一対の保持部６，６は、平面らせん形ランプ１を照明器具１０の一表面１１ｂと平行に一方向にスライドさせることにより、平面らせん形ランプ１の連結部５を保持して取り付けることができるように、複数個（ここでは、２個）の保持部６，６の突出部６ａ，６ａを互いに同一方向に配置させてもよい（図３（ｂ）を参照）。
【００５８】
なお、爪部６ｃと、爪部６ｄは、必ずしも同じ大きさでなくともよく、たとえば、爪部６ｃを爪部６ｃより一表面１１ｂ側に突出した突起とすることで、突出部６ａ，６ａが撓んでも平面らせん形ランプ１の落下防止などの機能をより高めることができる。同様に、保持部６における突出部６ａの板状部５ｂと接する表面は、平面らせん形ランプ１の落下防止の機能を高めるために、板状部５ｂとの摩擦が増えるような凹凸形状としてもよい。
【００５９】
いずれにしろ、本実施形態の照明器具１０は、器具本体１１側に上述の保持部６，６を備えることで、平面らせん形ランプ１の発光管２に余分な負荷を加えることなく平面らせん形ランプ１を照明器具１０に保持させるとともに、平面らせん形ランプ１の主発光面側を保持部６，６で覆うことがない。
【００６０】
このような保持部６，６は、ステンレスなどの金属材料で形成させてもよいし、合成樹脂材料で形成させてもよい。また、各保持部６，６における爪部６ｃ，６ｄの形状や数は、連結部５の板状部５ｂの形状に応じて複数個設ければよい。保持部６，６は、平面らせん形ランプ１からの光を反射するものが好ましく、照明器具１０の消灯時にランプカバー１４を介して保持部６が目立たないように器具本体１１、板状部５ｂや反射板１６などと同色に着色することもできるし、透光性とすることもできる。
【００６１】
なお、本実施形態の照明器具１０の光源として、平面らせん形ランプ１を用いて説明したが、照明器具１０は、保持部６が光源たるランプの発光管２における主発光面側と反対の前記一平面側に沿って設けられた連結部５で保持できればよい。したがって、発光管２の形状は、二重渦巻き形状に限られず、発光管２が湾曲していない棒状（図示せず）でもよいし、主発光面側に突出した渦巻となる円錐形状（図示せず）など所望に応じて種々の形状のものを用いることができる。
【００６２】
また、ランプの連結部５は、発光管２の一対の口金３，３を単に一体的に連結させるだけでなく、各口金３，３に給電する電源コード（図示せず）を内蔵させたものを用いてもよい。
【００６３】
（実施形態２）
本実施形態の照明器具１０の基本構成は、実施形態１と共通であるので、特徴となる部分について図４および図５に基づいて説明する。なお、実施形態１と同様の構成要素には、同一の符号を付して説明を適宜省略する。
【００６４】
本実施形態の照明器具１０は、実施形態１の照明器具１０に設けられた保持部６，６が、平面らせん形ランプ１を器具本体１１の一表面１１ｂ側に対して、平行な面内での回転や一方向へのスライドなどにより移動させて固定させるのに対し、本実施形態の照明器具１０の保持部６，６は、器具本体１１の一表面１１ｂに対して略垂直方向となる器具本体１１の一表面１１ｂ側に平面らせん形ランプ１を押し込んで固定する点が相違する。
【００６５】
本実施形態の照明器具１０は、照明器具１０の保持部６，６が平面らせん形ランプ１の発光管２の前記一平面側と、発光管２における前記一平面側に沿って設けられる連結部５の板状部５ｂとの隙間２ｂを利用して固定するのではなく、発光管２の管壁同士の間に保持部６，６を挟みこむことで平面らせん形ランプ１を保持する。
【００６６】
より具体的には、照明器具１０の保持部６，６は、平面らせん形ランプ１の渦巻き状に旋回する二重渦巻き形状の隣接する発光管２の管壁同士の間２ｃに設けられ、平面らせん形ランプ１の長尺状の板状部５ｂに沿って、複数個（ここでは、２個）配置させている（図４（ａ），（ｂ）を参照）。
【００６７】
図５（ａ）により詳細に示す各保持部６，６は、器具本体１１の一表面１１ｂから立設し収納する長尺状の板状部５ｂの幅に相当するだけ離して配置された一対の立設部６ｅ，６ｅと、各立設部６ｅ，６ｅそれぞれの先端部に、対向する一対の爪部６ｆ，６ｆが設けられている。平面らせん形ランプ１の照明器具１０への取り付け時には、平面らせん形ランプ１の板状部５ｂが照明器具１０の器具本体１１の一表面１１ｂ側に押し込められる。保持部６，６の爪部６ｆ，６ｆを先端に備えた一対の対向する立設部６ｅ，６ｅ間が広がった後、板状部５ｂが爪部６ｆ，６ｆを通過して一表面１１ｂ側に移動することにより、立設部６ｅ，６ｅが再び狭まる。これにより、平面らせん形ランプ１は、保持部６，６の立設部６ｅ，６ｅと、爪部６ｆ，６ｆと、照明器具１０の器具本体１１の一表面１１ｂとの間に挟まれて係止され、照明器具１０に保持される。
【００６８】
この場合、平面らせん形ランプ１の口金３，３のランプピン４，４は、差込型の接触方式であるが、直管ランプの回転式のように発光管２を回転させるのではなく、図４に示す照明器具１０のランプソケット７，７のスリット（図示せず）にランプピン４，４を挿入後、ランプソケット７，７を口金３，３の軸中心に沿って回転させ前記スリットを塞ぐことでランプピン４，４を固定するランプ着脱方式で構成している。
【００６９】
いいかえれば、平面らせん形ランプ１のランプピン４，４を直管ランプに用いられる回転式ソケットと同様にランプソケット７，７の前記スリットに沿って挿入し、この状態でランプソケット７，７本体に設けられた操作レバー７ａを、たとえば、口金３，３の軸中心に沿って９０度回転させると、ランプピン４，４とランプソケット７，７の内部の導電板（図示せず）とが接触し導通する。操作レバー７ａの回転後は、ランプソケット７，７の前記スリットが塞がれランプピン４，４は、ランプソケット７，７から抜け止めされる。これにより、平面らせん形ランプ１の固定と導通とを同じ動作で行うことができる。
【００７０】
本実施形態における保持部６，６は、たとえば、絶縁性を有する樹脂材料から成る合成樹脂成形品で形成してもよいし、器具本体１１の一表面１１ｂの一部を主発光面側に切り上げて形成してもよい。
【００７１】
また、本実施形態の他の保持部６，６としては、図５（ｂ）に示すように器具本体１１の一表面１１ｂに立設し、平面らせん形ランプ１を一表面１１ｂから一定の距離を離すための離間部６ｉ,６ｉと、離間部６ｉ，６ｉに平面らせん形ランプ１の連結部５の板状部５ｂが嵌め込められる底面部６ｈと、底面部６ｈの両端部から立設した側部６ｇ，６ｇとを備え、一対の対向する爪部６ｆ，６ｆを側部６ｇ，６ｇの先端に備えた断面が略コの字形状の構成としてもよい。図５（ｂ）に示す保持部６，６は、平面らせん形ランプ１と、照明器具１０における器具本体１１の一表面１１ｂとの距離を、離間部６ｉ，６ｉにより比較的自由に設定することができるため、ランプソケット７，７との位置合わせの自由度を確保することが容易にできる。
【符号の説明】
【００７２】
１  平面らせん形ランプ（ランプ）
２  発光管
２ｂ  隙間
２ｃ  管壁同士の間
３  口金
５  連結部
５ｂ  板状部
６  保持部
６ｃ，６ｄ，６ｆ  爪部
７  ランプソケット
１０  照明器具
１１  器具本体
【図１】
2011049006.tif 000003
【図２】
2011049006.tif 000004
【図３】
2011049006.tif 000005
【図４】
2011049006.tif 000006
【図５】
2011049006.tif 000007
【図６】
2011049006.tif 000008
【図７】
2011049006.tif 000009
【図８】
2011049006.tif 000010
【図９】
2011049006.tif 000011
【図１０】
2011049006.tif 000012